(57)【特許請求の範囲】
【請求項１】
カレンダで成形されるプラスチックシートをテイクオフロールでカレンダロールから引き離し、そのプラスチックシートをエンボスロールとゴムロールとの間に通板してエンボス加工を施し、そのプラスチックシートをテンパリングロールで冷却するラインを有するカレンダ設備において、
上記エンボスロールを昇降させて上記ラインから退避させ、または上記ラインに復帰させるエンボスロール昇降装置と、
上記ゴムロールをその軸方向に移動させて上記ラインから退避させ、または上記ラインに復帰させるゴムロールスライド装置と、
上記テイクオフロールの最終テイクオフロールを昇降させて上記ラインから退避させ、または上記ラインに復帰させるる最終テイクオフロール昇降装置と、
上記テンパリングロールをライン上のテイクオフロールに接近させ、または離反させるテンパリングロール移動装置と、
そのテンパリングロールの高さを調節するテンパリングロール高さ調節装置と、を有することを特徴とするカレンダ設備。
【請求項２】
上記テンパリングロール移動装置は、テンパリングロールを搭載する台車と、その台車の下面から突出した突出部と、その突出部に先端が連結されるとともに床面の下に固定されるシリンダと、からなる請求項１記載のカレンダ設備。
【請求項３】
上記テンパリングロール高さ調節装置は、上記台車に回動可能に設けられ、テンパリングロールの軸を回転可能に支持するテンパリングロール支持板と、そのテンパリングロール支持板を最終テンパリングロールの軸を中心として回動させる回動シリンダと、からなる請求項２記載のカレンダ設備。
【発明の詳細な説明】
【０００１】
【発明の属する技術分野】
本発明は、エンボス加工を施したプラスチックシートと、エンボス加工を施さないプラスチックシートとを成形することができるカレンダ設備に関するものである。
【０００２】
【従来の技術】
一般に、カレンダで成形されたプラスチックシートに、梨地などの凹凸を成形（いわゆるエンボス加工）したいときには、カレンダの下流において、成形したい凹凸を有するエンボスロールを、そのエンボスロールと対峙するゴムロールとの間にプラスチックシートを通板し、エンボスロールをゴムロールに押し付けている。
【０００３】
図６に、従来のエンボス加工ラインを有するカレンダ設備の部分側面図を示す。カレンダ１に送られてきた樹脂は、No.1ロール１９とNo.2ロール２０との間でバンク（樹脂溜まり）２２を形成し、そこからNo.2ロール２０とNo.3ロール２１との間、No.3ロール２１とNo.4ロール４との間で圧延されることによりプラスチックシート２が成形される。そのプラスチックシート２をテイクオフロール３でNo.4ロール４から引き離し、エンボスロール５とゴムロール６との間に通板してエンボス加工を施した後、そのプラスチックシート２をテンパリングロール７で徐々に冷却させてから図示しないワインダで巻き取っている。エンボスロール５はカレンダ１のハウジング２３後面に固定され、エンボスロール５を鉛直方向に昇降させるエンボスロール昇降シリンダ２４に連結されて支持されている。また、ゴムロール６はゴムロール支持台車２５上に搭載され、そのゴムロール支持台車２５が床面に設けられたレール２６上をゴムロール６の軸方向に走行して移動できるようになっている。なお、テイクオフロール３およびテンパリングロール７は、図示しない支持装置により支持されている。
【０００４】
また、同カレンダ設備で、例えば透明フィルムなどのようなエンボス加工を施さないプラスチックシートを成形するときには、まずエンボスロール５をエンボスロール昇降シリンダ２４で所定の位置まで上昇させてラインから退避させる。次にゴムロール支持台車２５をゴムロール６の軸方向に移動させてゴムロール６をラインから退避させる。そのゴムロール６を図示しない鉄製のプレーンロールに載せ換えるか、またはゴムロール６に紙を巻き付けてから、再度ラインに復帰させる。このとき、プラスチックシート２は、交換したロールの下を通るようにしている。
【０００５】
なお、エンボス加工を施さないプラスチックシートからエンボス加工を施すプラスチックシートを成形する場合に切替えるときには、まずゴムロール支持台車２５を移動させて、プレーンロールまたは紙を巻き付けたゴムロールをラインから退避させ、ゴムロールに載せ換えるか、または紙を取り外してから、再度ラインに復帰させる。このとき、プラスチックシート２は、ゴムロール６の上を通るようにしている。次にエンボスロール５をエンボスロール昇降シリンダ２４で所定の位置まで下降させてラインに復帰させるようにしている。
【０００６】
【発明が解決しようとする課題】
しかし、上述したカレンダ設備においては、エンボス加工を施すプラスチックシートとエンボス加工を施さないプラスチックシートを成形するために、１日に数回から数十回もゴムロールを交換しなければならないため、ゴムロールをプレーンロールに載せ換えたり、ゴムロールに紙を巻き付けたりしていては、時間がかかり、作業の効率が悪かった。また、プレーンロールやゴムロールの径は、テイクオフロールやテンパリングロールに比べ大きいため、プラスチックシートの走行方向下向きの長さが長くなり、プラスチックシートとロールとの間に空気が入りやく、さらに自重によりプラスチックシートが下方に垂れてきてしまう。しかも、ゴムロールに紙を巻き付けた場合には、プラスチックシートの温度制御をすることができない。したがって、プラスチックシートの製品精度が下がったり、均一の製品精度を維持することができない。また、ゴムロールをライン上から退避させて交換しないまま運転すると、テイクオフロールとテンパリングロールとの距離が長くなり、プラスチックシートに皺ができてしまう、などの問題があった。
【０００７】
本発明は、上記課題を解決するために創案されたものである。すなわち、迅速かつ円滑に、エンボス加工を施すプラスチックシートを成形する場合と、エンボス加工を施さないプラスチックシートを成形する場合とを切替えることができ、さらにプラスチックシートの製品精度を向上することができるカレンダ設備を提供することを目的とする。
【０００８】
【課題を解決するための手段】
本発明によれば、カレンダで成形されるプラスチックシートをテイクオフロールでカレンダロールから引き離し、そのプラスチックシートをエンボスロールとゴムロールとの間に通板してエンボス加工を施し、そのプラスチックシートをテンパリングロールで冷却するラインを有するカレンダ設備において、上記エンボスロールを昇降させて上記ラインから退避させ、または上記ラインに復帰させるエンボスロール昇降装置と、上記ゴムロールをその軸方向に移動させて上記ラインから退避させ、または上記ラインに復帰させるゴムロールスライド装置と、上記テイクオフロールの最終テイクオフロールを昇降させて上記ラインから退避させ、または上記ラインに復帰させるる最終テイクオフロール昇降装置と、上記テンパリングロールをライン上のテイクオフロールに接近させ、または離反させるテンパリングロール移動装置と、そのテンパリングロールの高さを調節するテンパリングロール高さ調節装置と、を有することを特徴とするカレンダ設備が提供される。
【０００９】
本発明の実施の形態によれば、上記テンパリングロール移動装置は、テンパリングロールを搭載する台車と、その台車の下面から突出した突出部と、その突出部に先端が連結されるとともに床面の下に固定されるシリンダとからなることが好ましい。
【００１０】
また本発明の実施の形態によれば、上記テンパリングロール高さ調節装置は、上記台車に回動可能に設けられ、テンパリングロールの軸を回転可能に支持するテンパリングロール支持板と、そのテンパリングロール支持板を最終テンパリングロールの軸を中心として回動させる回動シリンダとからなることが好ましい。
【００１１】
【発明の実施の形態】
以下、本発明の好ましい実施の形態を図１から図５を参照して説明する。なお、各図において従来と共通する部分には同じ符号を付して説明する。
【００１２】
図１は本発明のエンボス加工ラインを有するカレンダ設備の部分側面図であり、エンボス加工を施す場合を示している。図に示すカレンダ設備は、エンボスロール５を昇降させてラインから退避させ、またはラインに復帰させるエンボスロール昇降シリンダ８と、ゴムロール６を軸方向に移動させてゴムロール６をラインから退避させ、またはラインに復帰させるゴムロールスライド装置９と、テイクオフロール３の最終テイクオフロール３ｓを昇降させてラインから退避させ、またはラインに復帰させる最終テイクオフロール昇降シリンダ１０と、テンパリングロール７をライン上のテイクオフロール３に接近させ、または離反させるテンパリングロール移動装置１１と、そのテンパリングロール７の高さをライン上のテイクオフロール３の高さに合わせたり、水平にしたりするテンパリングロール高さ調節装置１２と、を有するものである。
【００１３】
上記エンボスロール昇降シリンダ８は、カレンダ１のハウジング２３後面に固定され、エンボスロール５を鉛直方向に昇降させるようになっている。また、上記最終テイクオフロール昇降シリンダ１０は、カレンダ１のハウジング２３内面に固定され、最終テイクオフロール３ｓを鉛直方向に昇降させるようになっている。
【００１４】
上記ゴムロールスライド装置９は、ゴムロール６を支持するゴムロール支持台車２７と、そのゴムロール支持台車２７を載置するレール２８とからなり、そのゴムロール支持台車２７を人力やシリンダなどにより動力を加えて、レール２８上をゴムロール６の軸方向に移動させる。
【００１５】
上記テンパリングロール移動装置１１は、テンパリングロール７を搭載したテンパリングロール移動台車１３と、そのテンパリングロール移動台車１３の下面から突出した突出部１４と、その突出部１４に先端が連結されるとともに床面１５の下に固定されるシリンダ１６とからなる。そして、シリンダ１６を伸縮させることによりテンパリングロール移動台車１３を水平方向に移動させて、テンパリングロール７をライン上のテイクオフロール３に接近させたり、離反させたりする。
【００１６】
上記テンパリングロール高さ調節装置１２は、テンパリングロール７の軸を回転可能に支持するテンパリングロール支持板１７と、そのテンパリングロール支持板１７に連結された回動シリンダ１８と、テンパリングロール支持板１７を回動可能に支持するブラケット２９とからなる。図示していないが、テンパリングロール支持板１７の外側に最終テンパリングロール７ｓの軸と同芯に突起が設けられており、その突起がブラケット２９に回動可能に支持されている。そして、回動シリンダ１８の伸縮により、テンパリングロール支持板１７を、最終テンパリングロール７ｓの軸を中心として回動させて、テンパリングロール７の高さを調節する。なお、回動シリンダ１８は、テンパリングロール移動台車１３の側板３０の内面に固定されている。
【００１７】
図２から図５は、上述した本発明のカレンダ設備により、エンボス加工を施すプラスチックシートを成形する場合から、透明フィルムなどのエンボス加工を施さないプラスチックシートを成形する場合に切替える操作を示す図である。以下、適宜図を参照して説明する。
（１）まず図２に示すように、エンボスロール昇降シリンダ８により、エンボスロール５を鉛直方向上方に上昇させて、ラインから退避させる。
（２）続いて図３に示すように、ゴムロール支持台車２７を軸方向（図では紙面の表から裏に向かう方向）に移動させてゴムロール６をラインから退避させる。なお、図において退避した状態を破線で示している。
（３）次に図４に示すように、最終テイクオフロール昇降シリンダ１０により、最終テイクオフロール３ｓを鉛直方向下方に下降させてラインから退避させる。
（４）最後に図５に示すように、テンパリングロール移動台車１３を移動させて、テンパリングロール７をライン上のテイクオフロール３に接近させつつ、テンパリングロール支持板１７を回動シリンダ１８により回動させて、テンパリングロール７の高さをライン上のテイクオフロール３の高さに合わせる。
【００１８】
また、エンボス加工を施さないプラスチックシートを成形する場合から、エンボス加工を施すプラスチックシートを成形する場合に切替えるときには、以下のように操作する。なお、図は省略する。
（１）テンパリングロール移動台車１３を移動させて、テンパリングロール７をライン上のテイクオフロール３から離反させつつ、テンパリングロール７の高さを水平にする。
（２）（１）の操作とほぼ同時に、最終テイクオフロール３ｓを鉛直方向上方に上昇させてラインに復帰させる。
（３）ゴムロール支持台車２７を移動させて、ゴムロール６をラインに復帰させる。
（４）エンボスロール５を鉛直方向下方に下降させて、ラインに復帰させる。
【００１９】
したがって、上述した本発明のカレンダ設備によれば、エンボス加工を施すプラスチックシートを成形する場合と、エンボス加工を施さないプラスチックシートを成形する場合とに切替えるときに、ゴムロール５の交換をすることがなく、迅速かつ円滑にテイクオフロール３からテンパリングロール７へプラスチックシート２を通板させることができる。
【００２０】
なお、本発明は上述した実施の形態に限定されず、本発明の要旨を逸脱しない範囲で種々変更できることは勿論である。
【００２１】
【発明の効果】
上述したように、本発明のカレンダ設備によれば、作業遅延の主要因であったゴムロールの交換作業を省くことができるため、迅速かつ円滑に、エンボス加工を施すプラスチックシートを成形する場合と、エンボス加工を施さないプラスチックシートを成形する場合とを切替えることができる。また、テイクオフロールからテンパリングロールへ直接プラスチックシートを通板させているため、プラスチックシートの走行方向下向きの長さが長くなることがなく、プラスチックシートが下方に垂れることがない。しかも、テンパリングロールをテイクオフロールに接近させているため、プラスチックシートに皺ができることがない。したがって、プラスチックシートの製品精度を向上させることができる、などの優れた効果を有する。
【図面の簡単な説明】
【図１】本発明のエンボス加工ラインを有するカレンダ設備の部分側面図であり、エンボス加工を施す場合を示している。
【図２】エンボスロールをラインから退避させるときの図である。
【図３】ゴムロールをラインから退避させるときの図である。
【図４】最終テイクオフロールをラインから退避させるときの図である。
【図５】テンパリングロールをライン上のテイクオフロールに近づけるとき、およびテンパリングロールの高さをライン上のテイクオフロールの高さに合わせるときの図である。
【図６】従来のエンボス加工ラインを有するカレンダ設備の部分側面図である。
【符号の説明】
１  カレンダ
２  プラスチックシート
３  テイクオフロール
３ｓ  最終テイクオフロール
４  カレンダロール（No.4ロール）
５  エンボスロール
６  ゴムロール
７  テンパリングロール
７ｓ  最終テンパリングロール
８  エンボスロール昇降シリンダ（エンボスロール昇降装置）
９  ゴムロールスライド装置
１０  最終テイクオフロール昇降シリンダ（最終テイクオフロール昇降装置）
１１  テンパリングロール移動装置
１２  テンパリングロール高さ調節装置
１３  テンパリングロール移動台車
１４  突出部
１５  床面
１６  シリンダ
１７  テンパリングロール支持板
１８  回動シリンダ
１９  No.1ロール
２０  No.2ロール
２１  No.3ロール
２２  バンク
２３  ハウジング
２４  エンボスロール昇降シリンダ
２５  ゴムロール支持台車
２６  レール
２７  ゴムロール支持台車
２８  レール
２９  ブラケット
３０  側板
【図１】
0003669392.tif 000002
【図２】
0003669392.tif 000003
【図３】
0003669392.tif 000004
【図４】
0003669392.tif 000005
【図５】
0003669392.tif 000006
【図６】
0003669392.tif 000007